(57)【要約】【課題】本発明はＩＰ電話システムの所分割方法，ファイル更新方法及びＩＰ電話システムに関し，呼処理を行うサーバシステムの増設による所分割を無中断で行うこと及びファイル更新を行うことを目的とする。【解決手段】分割元のサーバシステムは所分割開始により分割対象となる通話中の呼の番号を含む転送呼情報リストを作成して分割先のサーバシステムに送信し，分割先のサーバシステムは呼受信時にその呼の情報が転送呼情報リストに設定されていると転送待ちリストに登録して処理を中断し，分割先のサーバシステムは，転送呼情報リストの各呼情報毎に信号振り分けサーバに対し振り分け変更を指示し，分割元のサーバシステムから当該呼の状態を含む呼情報を取得すると呼情報リストから該当する情報を削除すると共に転送待ちリストに存在すると該リストから当該呼情報を削除して呼処理を再開する制御をリストの全ての情報に対して行うよう構成する。【選択図】図１
2008167359.tif 000002
【特許請求の範囲】
【請求項１】
ＩＰ網の加入者の呼信号を信号振り分けサーバで振り分けられたサーバシステムで呼処理を行うＩＰ電話システムにおける所分割方法において，
前記呼処理を行うサーバシステムを分割元として担当する加入者の一部を，他の呼処理を行う分割先のサーバシステムで処理させるための設定情報を前記信号振り分けサーバに設定し，
前記分割元のサーバシステムは，所分割開始の指示を受けると，分割対象となる通話中の呼の番号を含む転送呼情報リストを作成して分割先のサーバシステムに送信し，
前記分割先のサーバシステムは，前記転送呼情報リストを保存して，呼受信時にその呼の情報が前記転送呼情報リストに設定されていると転送待ちリストに登録して処理を中断し，
前記分割先のサーバシステムは，前記転送呼情報リストの各呼情報毎に前記信号振り分けサーバに対し分割先のサーバシステムへの振り分け変更を指示し，前記分割元のサーバシステムから当該呼の状態を含む呼情報の取得を依頼し，前記呼情報を取得すると前記転送呼情報リストから該当する呼情報を削除すると共に前記転送待ちリストに存在するか判別して存在すると該リストから当該呼情報を削除して当該呼処理を再開する制御を前記転送呼情報リストの全ての情報に対して行う，ことを特徴とするＩＰ電話システムにおける所分割方法。
【請求項２】
ＩＰ網の加入者の呼信号を信号振り分けサーバで振り分けられたサーバシステムで呼処理を行うＩＰ電話システムにおいて，
前記呼処理を行うサーバシステムの一つが担当する加入者の一部を，他の呼処理を行うサーバシステムで処理を実行させる設定情報を前記信号振り分けサーバが保持し，
前記分割元のサーバシステムは，所分割開始の指示により分割対象となる通話中の呼の番号を含む転送呼情報リストを分割先のサーバシステムに送信する手段と，
前記分割先のサーバシステムは，受信した転送呼情報リストの保存手段と，呼受信時にその呼の情報が前記転送呼情報リストに存在するか判別して存在すると，転送待ちリストに登録して処理を中断する呼受信部を備え，
前記分割先のサーバシステムは，前記転送呼情報リストの各呼情報毎に前記信号振り分けサーバに対し分割先のサーバシステムへの振り分け変更を指示する手段と，前記分割元のサーバシステムから当該呼の状態を含む呼情報の取得依頼を行う手段と，前記呼情報を取得すると，前記転送呼情報リストから該当する呼情報を削除して前記転送待ちリストに存在すると該リストから当該呼情報を削除して当該呼処理を再開させる手段とを備える呼情報別処理部を備える，ことを特徴とするＩＰ電話システム。
【請求項３】
ＩＰ網の加入者の呼信号を信号振り分けサーバで振り分けられたサーバシステムで呼処理を行うＩＰ電話システムにおけるファイル更新方法において，
プログラムを含む旧ファイルにより処理を行うサーバシステムの全ての加入者の信号を改良したプログラムにより処理を行う新ファイルのサーバシステムに振り分けるための設定情報を前記信号振り分けサーバに設定し，
前記旧ファイルのサーバシステムは，ファイル変更開始の指示を受けると，通話中の呼の番号を含む転送呼情報リストを作成して新ファイルのサーバシステムに送信し，
前記新ファイルのサーバシステムは，前記転送呼情報リストを保存し，呼受信時にその呼の情報が前記転送呼情報リストに設定されていると転送待ちリストに登録して処理を中断し，
前記新ファイルのサーバシステムは，前記転送呼情報リストの各呼情報毎に前記信号振り分けサーバに対し新ファイルのサーバシステムへの振り分け変更を指示し，前記旧ファイルのサーバシステムから当該呼の状態を含む呼情報の取得を依頼し，前記呼情報を取得すると前記転送呼情報リストから該当する呼情報を削除すると共に，前記転送待ちリストに存在するか判別して，存在すると該リストから当該呼情報を削除して当該呼処理を再開する制御を前記転送呼情報リストの全ての情報に対して行う，ことを特徴とするＩＰ電話システムにおけるファイル更新方法。
【請求項４】
ＩＰ網の加入者の呼信号を信号振り分けサーバで振り分けられたサーバシステムで呼処理を行うＩＰ電話システムにおいて，
プログラムを含む旧ファイルにより処理を行うサーバシステムの全ての加入者の信号を，改良したプログラムにより処理を行う新ファイルのサーバシステムに振り分けるための設定情報を前記信号振り分けサーバに保持し，
前記旧ファイルのサーバシステムは，ファイル変更開始の指示を受けると，通話中の呼の番号を含む転送呼情報リストを作成して新ファイルのサーバシステムに送信する手段と，
前記新ファイルのサーバシステムは，前記転送呼情報リストを保存する手段と，呼受信時にその呼の情報が前記転送呼情報リストに存在するか判別して存在すると転送待ちリストに登録して処理を中断する呼受信部と，前記転送呼情報リストの各呼情報毎に前記信号振り分けサーバに対し新ファイルのサーバシステムへの振り分け変更を指示する手段と，前記旧ファイルのサーバシステムから当該呼の状態を含む呼情報の取得依頼を行う手段と，前記呼情報を取得すると前記転送呼情報リストから該当する情報を削除して，前記転送待ちリストに存在すると該リストから当該呼情報を削除して当該呼処理を再開させる手段とを備える呼情報別処理部を備える，ことを特徴とするＩＰ電話システム。
【発明の詳細な説明】
【技術分野】
【０００１】
本発明は，呼処理を行うサーバシステムを含むＩＰ電話システムにおける所分割（サーバシステム単位に収容している加入者単位を分割すること）方法，ファイル更新方法及びＩＰ電話システムに関する。
【背景技術】
【０００２】
ＩＰ電話網では多数の加入者が収容され，各加入者の呼は呼処理を行うサーバシステムにより処理されるが，加入者の増加に対応してサーバシステムを増設した場合に通話中の呼をどのように増設したサーバシステムで処理させるようにするかが課題となっている。
【０００３】
図７は従来の仮想ＩＰを用いたＩＰ電話の呼処理用システム構成を示す。図中，８０はＶｏＩＰ（Voice over Internet Protocol) の技術によるＩＰ電話の呼処理を行うサーバシステムを含むＩＰ電話の呼処理用システム，８１は全サーバシステムから共通でアクセス可能な加入者の契約情報を管理する加入者データサーバ，８２，８３及び８４はＩＰ電話の加入者からの呼処理を行う論理的なサーバシステムであり，２台の物理サーバはクラスタ構成で１台の論理サーバシステムとして振舞う（クラスタなしの一台の物理サーバでも可能）サーバシステムＡ，サーバシステムＢ及びサーバシステムＣ，８５は加入者からの信号を受付けて加入者番号，呼識別子（Call-ID)を識別して，予め設定された振り分け情報に従い，信号を各サーバシステム８２〜８４の何れかへ振り分ける信号振り分けサーバ，８６はＩＰ網，８６−１〜８６−ＮはＩＰ電話の加入者１〜Ｎ（電話機）である。このＩＰ電話の呼処理用システム８０の構成は，加入者の数Ｎ＝３００とした場合であり，サーバシステムＡに加入者１〜１００が割り当てられ，サーバシステムＢに加入者１０１〜２００が割り当てられ，サーバシステムＣに加入者２０１〜３００が割り当てられている。サーバシステム８２〜８４は論理的なシステムであり，複数の物理サーバをクラスタ構成で１台の論理サーバシステムとして動作させたり，クラスタなしの１台の物理サーバによって構成することもできる。
【０００４】
ＩＰ電話の加入者８６からＩＰ電話の呼処理用システム８０の信号振り分けサーバ８５が提供する仮想ＩＰ（ＶＩＰ：Virtual IP) に対してアクセスを行う。信号振り分けサーバ８５は，加入者８６からの信号を受付けて，加入者番号，呼識別子（CALL−ＩＤ）を識別して，予め加入者番号別にどのサーバシステムに設定されているかのテーブル等を参照して，設定されたサーバシステムを判別し，判別したサーバシステム（８２とする）に対して呼情報を転送して呼処理を実行させる。そのサーバシステムＡ８２は，受け付けた発呼加入者からの接続要求について，各サーバシステム８２〜８４に共通に設けられた加入者データサーバ８１に対して，正当な加入者（正規に契約して登録された加入者）であるか，その加入者に対して提供されるオプションサービス内容（契約内容）をチェックさせる。チェックの結果は加入者データサーバ８１からサーバシステムＡ８２に通知され，呼接続（サービス提供）が可能であると，サーバシステムＡ８２は要求された呼接続の処理を行う。
【０００５】
上記従来のＩＰ電話システムにおいて，各サーバシステムが担当する加入者の容量（スケーラビリティ）の変更（所分割）は，加入者の増加や，電話の呼量の増大等の状況が発生する場合に実行する必要がある。
【０００６】
サーバのスケーラビリティの変更（所分割）を行う場合，信号振り分けサーバの設定を変更することにより，新規呼については分割先で処理を実行するようになっているが，通信中の呼情報をどのように扱うかで２つの方法があった。
【０００７】
方式１：収容された加入者の通信中の切替対象呼は，一度すべて消去して切断する。
【０００８】
方式２：切替時に切断せず，呼が切断されるまで分割元で処理を実施する。
【０００９】
図８は従来例の所分割における課題の説明図である。図８のＡ．は所分割の例を示し，最初に(1) に示すように加入者１〜１００がサーバＡに割り当てられている時，通話量の増大等により，サーバＢを増設して，所分割を行うことにより(2) に示すようにサーバＡに加入者１〜５０，サーバＢに加入者５１〜１００が割り当てられる。
【００１０】
図８のＢ．は所分割の後に上記方式１による切替対象呼を全て消去して切断する例を示し，(a) は所分割対象加入者の呼情報の初期状態であり，サーバシステム１に加入者Ａ，Ｂの呼情報が設定され接続が行われている時，この加入者Ａ，Ｂがサーバシステム１からサーバシステム２へ所分割される対象になると，図８の(b) に示すように当該加入者Ａ，Ｂに関連する呼を削除（切断）する。この後，所分割対象加入者Ａ，Ｂの新規呼が発生すると信号振り分けサーバによりサーバシステム２に振り分けられ，図８の(c) のＡ’，Ｂ’に示すようにサーバシステム２で処理が実行される。
【００１１】
図８のＣ．は所分割の後に上記方式２による切替時に切断しない例を示し，(a) は所分割対象加入者の呼情報の初期状態であり，加入者Ａ，Ｂがサーバシステム１からサーバシステム２へ所分割される対象であるが，通話中である限りそのままサーバシステム１で処理される。この状態のまま，サーバシステム２へ所分割された別の加入者Ｃからの新規の呼はサーバシステム２で処理が実行され，既存呼（加入者Ａ，Ｂの呼）はそのまま通話が終了して切断されるまで放置する。
【００１２】
上記の方式１では，切替える対象の加入者の呼が強制的に切断されてしまい，通話中の利用者に不快感を与え，サービスが低下するという問題がある。また，上記方式２では長期保留呼が存在すると，その終話まで分割元で扱うことになるという問題があった。
【００１３】
上記の所分割と同様に，ＩＰ電話網のサーバシステムの新機能の追加や障害に対する修正を行うプログラムを含むファイルを，拡張により増設したサーバシステムで運用する場合に分割元の通話中の加入者に対して適用する場合にも同様の問題があった。
【００１４】
なお，電話網とＩＰ網とを相互接続してＩＰ網で使用するパケットと電話網で使用する音声とをメディア変換するメディアゲートウェイ装置の冗長化システムの運用系と待機系の切替えを無中断で行う切替え方法がある（特許文献１参照）。その方式は，運用系のＩＰ装置のセッション情報と運用系ＶｏＩＰ装置のＩＰコネクティビティに関する情報（ＩＰアドレス，ＭＡＣアドレス等）を待機系ＶｏＩＰ装置に転送し，これを受信した待機系ＶｏＩＰ装置はＩＰインタフェースを運用状態に切り替えて運用系にしてセッションを再確立し，セッション情報のうちタイムスタンプとシーケンスナンバの情報を除く情報を引き継いでセッションを再確立するという技術である。
【００１５】
また，二重化された交換システムにおけるファイル更新時データ引き継ぎ方法についての提案がある（特許文献２参照）。その特許文献２で提案された方法は，アクト運転中の一方の交換機にファイル更新起動を行うと，該交換機はスタンバイ運転中の他方の交換機に切離し指示を通知し，他方の交換機はその指示を受けるとアウス（ＯＵＳ）状態に遷移し，新ファイルのロードを開始し，完了すると新ファイルロード完了通知を一方の交換機に通知する。これを受信すると一方の交換機は，引き継ぎ対象となるデータ（現在接続中の呼情報等）の更新を規制状態とし，当該データを他方の交換機に転送し，そのデータを受け取った他方の交換機はデータを新ファイルに順次書込み，データの再構築を行って，完了するとアクト運転中状態に遷移してサービスの提供を開始し，一方の交換機はアウス状態に遷移するという技術である。
【特許文献１】特開２００５−５７４６１号公報
【特許文献２】特開２００２−１０１４３３号公報
【発明の開示】
【発明が解決しようとする課題】
【００１６】
上記図８に関連して説明したように，上記方式１では切替える対象の加入者の呼が強制的に切断されてしまい，通話中の利用者に不快感を与え，サービスが低下するという問題がある。また，上記方式２では長期保留呼が存在すると，その終話まで分割元で扱うことになるという問題があった。
【００１７】
また，上記特許文献１の技術は，二重化されたメディアゲートウェイ装置の運用系と待機系の切り替えの技術であり，ＩＰ電話網におけるサーバシステムの所分割（スケーラビリティの変更）により複数のサーバシステムに加入者を分割するという目的及び構成に適用することはできない。また，上記特許文献２の技術は，二重化交換システムにおいてスタンバイ系の交換機をアクト系に切り替えるものであり，ＩＰ電話網のサーバシステムの所分割を行う場合のファイルの更新を行うというシステム構成及び目的とは異なる技術である。
【００１８】
本発明は，ＩＰ電話網において呼処理を行うサーバシステムの増設による所分割を無中断で行う所分割方法及び所分割を無中断で行うＩＰ電話システムを提供すること及びＩＰ電話網において呼処理用のサーバシステムのファイルをサービス無中断で更新するファイル更新方法及びファイル更新を無中断で行うＩＰ電話システムを提供することを目的とする。
【課題を解決するための手段】
【００１９】
図１は本発明の第１の原理構成であり，呼処理を行うサーバシステムの所分割を無中断で効率的に行うための構成である。図中，１はオペレータが操作する端末装置，２−１，２−２は加入者から要求された呼設定制御を行うサーバシステムであり，この例はサーバシステム２−１が分割元，サーバシステム２−２が分割先とする。分割元のサーバシステム２−１内の２１０は転送呼情報リスト送信手段，２１１は呼別に状態を含む呼情報の処理を行う呼情報別処理部，２１１ａは呼情報転送手段，２１１ｂは呼情報削除手段，２１２はメモリ，２１２ａは通話中の呼に関する情報である呼情報である。分割先のサーバシステム２−２内の２２０は転送呼情報リスト受信手段，２２１は呼情報別処理部，２２１ａは信号振り分け変更手段，２２１ｂは呼情報取得手段，２２１ｃはリスト更新手段，２２２は呼を受信した時に動作する呼受信部，２２２ａは転送呼情報リストチェック手段，２２２ｂは転送待ちリスト登録手段，２２３はメモリであり，２２３ａは転送呼情報リスト，２２３ｂは転送待ちリスト，２２３ｃは呼情報である。３は全サーバシステム２−１，２−２に共通に設けられる共に全サーバシステムからアクセス可能な加入者の契約情報を管理する加入者データサーバ，４は加入者からの信号を受付けて加入者番号，呼識別子（Call-ID)を識別して，信号を予め設定されたサーバへ振り分ける信号振り分けサーバ，５はＩＰ網，６−１〜６−ＮはそれぞれＩＰ電話用のパケットを送受信する加入者電話機である。
【００２０】
当初はサーバシステム２−１で全ての加入者の呼処理を実行していたが，所分割により全加入者の一部をサーバシステム２−２で処理するように分割し，信号振り分けサーバ４に対してサーバシステム２−１，２−２のそれぞれが分担する加入者番号等の情報が設定されるものとする。
【００２１】
端末装置１のオペレータが，所分割開始を分割元のサーバシステム２−１に対して指示すると，分割元のサーバシステム２−１では転送呼情報リスト送信手段２１０により所分割の対象となる加入者であって通話中である加入者の加入者番号を含む転送呼情報リストを分割先のサーバシステム２−２に対して送信する。なお，この転送呼情報リストに含まれている加入者の呼はそのまま分割元のサーバシステム２−１で呼が継続される。分割先のサーバシステム２−２は，転送呼情報リストを転送呼情報リスト受信手段２２０で受け取ると，メモリ２２３内に転送呼情報リスト２２３ａとして保持する。
【００２２】
呼受信部２２２は新たにサーバシステム２−２に振り分けられてきた呼信号（分割元のサーバシステム２−１で処理をしている呼を含む）を受信すると，転送呼情報リストチェック手段２２２ａでその呼が転送呼情報リスト２２３ａに含まれているかチェックし，含まれてなければ当該分割先のサーバシステム２−２において呼処理が行われ，含まれていると転送待ちリスト登録手段２２２ｂを起動してその呼（識別番号）を転送待ちリスト２２３ｂに登録して処理を中断（当該呼はサーバシステム２−１で処理中であるため）し，呼情報（状態情報を含む）の転送完了まで待ち合わせる。
【００２３】
また，サーバシステム２−２では転送呼情報リスト２２３ａの先頭の呼の情報（加入者番号）から一つ一つを取り出して呼情報別処理部２２１で処理を行い，先ず信号振り分け変更手段２２１ａが一つの呼の情報についてサーバシステム２−１から２−２へ振り分け変更することを信号振り分けサーバ４に対して指示し，信号振り分けサーバ４から変更完了を受け取ると，呼情報取得手段２２１ｂが駆動され，分割元のサーバシステム２−１に対して当該呼について呼情報（呼状態等の情報）取得の依頼をする。これに応じ，サーバシステム２−１の呼情報転送手段２１１ａはメモリ２１２から該当する呼の呼情報を転送すると，サーバシステム２−２で受け取られ，その呼に対応する情報（加入者番号）が転送待ちリスト２２３ｂに存在するかチェックして，存在すると転送待ちリスト２２３ｂから削除して，当該呼について呼情報の転送を受けたので中断していた処理を再開すると共に，分割元サーバシステム２−１に対して当該呼情報の削除を依頼する。分割元サーバシステム２−１は依頼された呼情報を呼情報２１２ａから削除する。この呼情報別処理部２２１は，転送呼情報リスト２２３ａに登録された次の順番の呼について同様の処理を実行し，リストの全てについて終了するまで続ける。
【００２４】
次に，図２は本発明の第２の原理構成を示し，ＩＰ電話の呼処理用のサーバシステムのファイルを旧ファイルから新ファイルへサービス無中断で更新するものである。図２において，１，３，４，５及び６−１〜６−Ｎは上記図１の同じ符号の各部と同じであり，７−１は旧ファイルにより呼処理を行うサーバシステム，７−２は新ファイル７２３により呼処理を行うサーバシステムであり，新ファイルは旧ファイルについてのバグの補正（障害を修正）や新機能の追加を行ったものである。旧ファイルで動作するサーバシステム７−１が処理を行う全ての加入者を新ファイルのサーバシステム７−２に変更するよう信号振り分けサーバ４に設定しておく。
【００２５】
この状態で，端末装置１から旧ファイルのサーバシステム７−１に対して新ファイルへの変更を指示すると，旧ファイルのサーバシステム７−１の転送呼情報リスト送信手段７１０が駆動されて通話中の呼情報のリストを新ファイルのサーバシステム７−２に転送する。サーバシステム７−２の転送呼情報リスト受信手段７２０でこれを受け取るとメモリ７２４に格納する。また，呼受信部７２２で呼を受信すると，転送呼情報リストチェック手段７２２ａにおいて受信した呼が転送呼情報リスト７２４ａに登録されているか判別し，登録されていると転送待ちリスト７２４ｂへ登録して処理を中断する。更に，転送呼情報リスト７２４ａのそれぞれの呼情報について呼情報別処理部７２１による処理が実行される。すなわち，転送呼情報リスト７２４ａの先頭の呼情報（加入者番号等）について信号振り分け変更手段７２１ａにより信号振り分けサーバ４に対してサーバシステム７−２に信号振り分けを変更するよう指示し，信号振り分けサーバ４から変更完了を受け取ると，呼情報取得手段７２１ｂが駆動されて当該呼についてサーバシステム７−１に対し呼情報（呼状態を含む）取得を依頼して，呼情報転送手段７１１ａは依頼された一つの呼情報を呼情報格納部７１３から取り出して転送する。サーバシステム７−２はこれを受け取ると呼情報７２４ｃに格納し，この呼情報が転送待ちリスト７２４ｂに登録されているか判別してｐ登録されていると転送待ちリスト７２４ｂから削除し，当該呼について中断していた処理を再開し，転送待ちリスト７２４ｂに登録してない場合は，旧ファイルのサーバシステム７−１に対し当該呼情報を削除するよう依頼し，サーバシステム７−１でこれを受け取ると呼情報削除手段７１１ｂが駆動されて呼情報格納部７１３から依頼された呼情報の削除を行う。
【発明の効果】
【００２６】
本発明により以下の(1) 〜(3) のような効果を奏する。
【００２７】
(1) 加入者の所分割をサービス無中断で実施することができ，サーバのスケーラビリティを柔軟に変更できる。具体的には，最初は小規模なサーバシステムで構築し，後に呼量が増加した段階でサーバシステムを増加して，システムを拡張することが可能となる。
【００２８】
(2) 呼情報のコピーが完了していない間は, 転送待ちリストで処理の待ち合わせを実施することにより呼損を生じることなく処理が可能となる。
【００２９】
(3) 同様の方式で，ファイルの更新（新機能の追加や障害修正等）がサービス無中断で可能となる。
【発明を実施するための最良の形態】
【００３０】
図３は実施例１のフローチャートであり，図４はシステム構成における実施例１の相互の動作シーケンスを示す図である。この実施例１は上記図１の本発明の第１の原理構成に対応し，図４の１，３，４の各符号は上記図１の同一符号の各部と同じであり，説明を省略する。２Ａ，２ＢはそれぞれＣＰＵ，メモリ及び他のサーバ（加入者データサーバ３，信号振り分けサーバ及び他のサーバシステム２Ａまたは２Ｂ）との通信を行う通信インタフェースを備えたコンピュータにより構成されたサーバシステムであり，２Ａは分割元のサーバシステム（図１の２−１に対応），２Ｂは分割先のサーバシステム（図１の２−２に対応），２０ａは転送呼情報リスト（図１の２２３ａに対応），２０ｂは転送待ちリスト（図１の２２３ｂに対応）であり，８はＩＰ電話網の呼処理用システムを表し，上記図７の８０に対応する。
【００３１】
この実施例１の構成でも，ＩＰ電話の呼処理を行うサーバシステム２Ａが担当する前記加入者の一部（半分）を所分割によりサーバシステム２Ｂに分割するものとする。
【００３２】
図３のＡ．は実施例１のシステム処理フローであり，図４に示すシステム構成の全体（各サーバシステム相互）のフローチャートであり，Ｂ．は分割先のサーバシステムにおける呼受信時の動作だけを示す。
【００３３】
分割元（サーバシステム２Ａ）に所分割開始指示が端末装置１から与えられると（図３のＳ１，図４の(1) ），分割元のサーバシステム２Ａから分割先へ転送呼情報リストを送信する（同Ｓ２,(2)）。この後，転送呼情報リストに含まれた各呼情報毎にＳ３〜Ｓ１０の処理が実行され，リストに設定された全ての呼情報についての処理が終了するまで繰り返し実行する。すなわち，分割先のサーバシステム２Ｂから信号振り分けサーバ４へ振り分け変更を指示し（図３のＳ３，図４の(3))，信号振り分けサーバ４から分割先２Ｂへ振り分け変更完了の応答が返ってくると（同Ｓ４，(4))，分割先のサーバシステム２Ｂから分割元のサーバシステム２Ａへ呼情報（呼状態を含む）の取得依頼を送信する（同Ｓ５，(5))。分割元のサーバシステム２Ａから分割先のサーバシステム２Ｂに呼情報が転送されてくると（図３のＳ６，図４の(6))，分割先で転送呼情報リストから当該呼情報に対応するリストを削除する（同Ｓ７，(7))。
【００３４】
一方，分割先のサーバシステム２Ｂは信号振り分けサーバ４により振り分けられた呼を受信すると（図３のＢ．のＳ２０，図４の(20)) ，その呼が転送呼情報リストに存在するか判別し（図３のＢ．のＳ２１），存在しない場合は切替え時に呼が存在しなかった加入者に関する呼であるため，通常の呼処理を行い，転送呼情報リストに存在した場合はその呼（受信呼）を転送待ちリストに登録して処理を中断する（同Ｓ２２）。この時点で呼情報が分割元のサーバシステム２Ａで保持しているからである。
【００３５】
分割先のサーバシステムにおいて，分割元のサーバシステムから呼情報を受け取った時，上記Ｓ７においてその呼情報に対応する情報を転送呼情報リストから削除した後，上記転送待ちリストにその呼情報に対応するリストが存在するか判別し（図３のＳ８，図４の(8))，存在した場合は図３のＢ．において転送待ちリストから当該呼情報に対応する情報を削除するか処理再開する（同Ｓ２３，図４の(23)) 。
【００３６】
このようにして，分割元のサーバシステムで呼処理中（通話中）の加入者を所分割する場合にも，呼を中断することなく順次変更先のサーバシステムに所分割を実現することができる。
【００３７】
図５は実施例２のフローチャートであり，図６はシステム構成における実施例２の相互の動作シーケンスを示す図である。この実施例２は上記図２の本発明の第２の原理構成に対応し，図６の１，３，４の各符号は上記図２の同一符号の各部と同じであり，説明を省略する。７Ａ，７ＢはそれぞれＣＰＵ，メモリ及び別のサーバ（加入者データサーバ３，信号振り分けサーバ４及びサーバシステム７Ａまたは７Ｂ）との通信を行う通信インタフェースを備えたコンピュータにより構成されたサーバシステムであり，７Ａは旧ファイルで動作するサーバシステム（図２の７−１に対応），７Ｂは新ファイルで動作するサーバシステム（図２の７−２に対応），７０ａは転送呼情報リスト（図２の７２４ａに対応），７０ｂは転送待ちリスト（図２の７２４ｂに対応）であり，８は上記図４の同一符号と同じでありＩＰ電話網の呼処理用のシステムを表す。
【００３８】
この実施例２の動作は，ＩＰ電話の呼処理を行うサーバシステム７Ａにより全ての加入者の呼処理を旧ファイル（旧機能のプログラム）により動作しており，この旧ファイルの欠陥を修復したり，新機能を追加した新ファイルにより動作するサーバシステム７Ｂへ全ての加入者の呼処理を切り替える場合について示す。
【００３９】
図５のＡ．は実施例２のシステム処理フローであり，図６に示すシステム構成の全体（各サーバシステム相互）のフローチャートであり，Ｂ．は新ファイルのサーバシステムにおける呼受信時の動作だけを示す。
【００４０】
旧ファイルのサーバシステム７Ａに対し新ファイルへ更新開始指示が端末装置１から与えられると（図５のＳ１，図６の(1) ），旧ファイルのサーバシステム７Ａから新ファイルのサーバシステム７Ｂへ転送呼情報リストを送信する（同Ｓ２,(2)）。この後，転送呼情報リストに含まれた各呼情報毎にＳ３〜Ｓ１０の処理が実行され，リストに設定された全ての呼情報についての処理が終了するまで繰り返し実行する。すなわち，新ファイルのサーバシステム７Ｂから信号振り分けサーバ４へ振り分け変更を指示し（図５のＳ３，図６の(3))，信号振り分けサーバ４から新ファイルのサーバシステム７Ｂへ振り分け変更完了の応答が返ってくると（同Ｓ４，(4))，新ファイルのサーバシステム７Ｂから旧ファイルのサーバシステム７Ａへ呼情報（呼状態を含む）の取得依頼を送信する（同Ｓ５，(5))。旧ファイルのサーバシステム７Ａから新ファイルのサーバシステム７Ｂに呼情報が転送されてくると（図５のＳ６，図６の(6))，分割先で転送呼情報リストから当該呼情報に対応するリストを削除する（同Ｓ７，(7))。
【００４１】
ここで，新ファイルのサーバシステム７Ｂが信号振り分けサーバ４により振り分けられた呼を受信した場合の動作を説明すると，呼を受信すると（図５のＢ．のＳ２０，図６の(20)) ，その呼が転送呼情報リストに存在するか判別し（図５のＢ．のＳ２１），存在しない場合は切替え時に呼が存在しなかった加入者に関する呼であるため，通常の呼処理を行い，転送呼情報リストに存在した場合はその呼（受信呼）を転送待ちリストに登録して処理を中断する（同Ｓ２２）。これは，この時点で呼情報が旧ファイルのサーバシステム７Ａで保持しているからである。
【００４２】
新ファイルのサーバシステム７Ｂにおいて，旧ファイルのサーバシステム７Ａから呼情報を受け取った時，上記Ｓ７においてその呼情報に対応する情報を転送呼情報リストから削除した後，上記転送待ちリストにその呼情報に対応するリストが存在するか判別し，存在した場合は図５のＢ．において転送待ちリストから当該呼情報に対応する情報を削除するか，処理再開する（同Ｓ２３，図６の(23)) 。
【００４３】
このようにして，呼処理が実行されて通話が実行されている加入者についても，呼を中断することなく順次新ファイルのサーバシステムに変更することができる。
【図面の簡単な説明】
【００４４】
【図１】本発明の第１の原理構成を示す図である。
【図２】本発明の第２の原理構成を示す図である。
【図３】実施例１のフローチャートを示す図である。
【図４】システム構成における実施例１の相互の動作シーケンスを示す図である。
【図５】実施例２のフローチャートを示す図である。
【図６】システム構成における実施例２の相互の動作シーケンスを示す図である。
【図７】従来の仮想ＩＰを用いたＩＰ電話のシステム構成を示す図である。
【図８】従来例の所分割における課題の説明図である。
【符号の説明】
【００４５】
１          端末装置
２−１      呼処理を行う分割元のサーバシステム
２−２      呼処理を行う分割先のサーバシステム
２１０      転送呼情報リスト送信手段
２１１      呼情報別処理部
２１１ａ    呼情報転送手段
２１１ｂ    呼情報削除手段
２１２      メモリ
２１２ａ    呼情報
２２０      転送呼情報リスト受信手段
２２１      呼情報別処理部
２２１ａ    信号振り分け変更手段
２２１ｂ    呼情報取得手段
２２１ｃ    リスト更新手段
２２２      呼受信部
２２２ａ    転送呼情報リストチェック手段
２２２ｂ    転送待ちリスト登録手段
２２３      メモリ
２２３ａ    転送呼情報リスト
２２３ｂ    転送待ちリスト
２２３ｃ    呼情報
３          加入者データサーバ
４          信号振り分けサーバ
５          ＩＰ網
６−１〜６−Ｎ  加入者電話機
【図１】
2008167359.tif 000003
【図２】
2008167359.tif 000004
【図３】
2008167359.tif 000005
【図４】
2008167359.tif 000006
【図５】
2008167359.tif 000007
【図６】
2008167359.tif 000008
【図７】
2008167359.tif 000009
【図８】
2008167359.tif 000010